(57)【要約】【課題】はぜ部間に位置するソーラーパネルのはね出し部の端部を確実に挟持して、ソーラーパネルの撓みによる破損等を防止するためのソーラーパネル用枠体の補助固定装置を提供する。【解決手段】ソーラーパネルを隣接させて折板屋根Ｒに設置する際に、折板屋根Ｒのはぜ部Ra，Ra間に位置するはね出し部を折板屋根Ｒに固定するためのソーラーパネル用枠体の補助固定装置を、折板屋根Ｒの隣接するはぜ部Raに固定された取付金具Ｊ，Ｊ間に掛け渡されたレール部材１と、ボルト2aの先端を上方に向けた状態でレール部材１に摺動自在に取り付けられるボルト部材２と、それぞれの中央の穴部3aにボルト部材２のボルト2aを貫通させた状態で、側方の挟持部3bではね出し部Fbのソーラーパネル用枠体の折板屋根Ｒのはぜ部Raと直角な枠を挟持するための１組の固定板部材３と、ボルト部材２のボルト2aに螺合されるナット４とから構成する。【選択図】図２
2014047593.tif 000002
【特許請求の範囲】
【請求項１】
方形状のソーラーパネル(Ｐ)の周囲全体を囲うソーラーパネル用枠体(Ｆ)を、折板屋根(Ｒ)のはぜ部(Ra)と直角な枠(Fa)を折板屋根(Ｒ)の水上側と水下側に位置させた状態で、折板屋根(Ｒ)の各はぜ部(Ra)を挟持させて固定された取付金具(Ｊ)によって、該ソーラーパネル用枠体(Ｆ)の折板屋根(Ｒ)のはぜ部(Ra)と直角な枠(Fa)を挟持させてソーラーパネル(Ｐ)を隣接させて折板屋根(Ｒ)に設置する際に、該ソーラーパネル用枠体(Ｆ)の折板屋根(Ｒ)のはぜ部(Ra)と平行な端部であって該折板屋根のはぜ部(Ra，Ra)間に位置するはね出し部(Fb)を折板屋根(Ｒ)に固定するためのソーラーパネル用枠体の補助固定装置であって、
折板屋根(Ｒ)の隣接するはぜ部(Ra)をそれぞれ挟持させて固定された取付金具(Ｊ，Ｊ)間にはぜ部(Ra)と直角に掛け渡された状態で固定されるレール部材(１)と、
ボルト(2a)の先端を上方に向けた状態で該レール部材(１)に摺動自在に取り付けられるボルト部材(２)と、
それぞれの中央の穴部(3a)に該ボルト部材(２)のボルト(2a)を貫通させた状態で、側方の挟持部(3b)で該はね出し部(Fb)の該ソーラーパネル用枠体(Ｆ)の折板屋根(Ｒ)のはぜ部(Ra)と直角な枠(Fa)を挟持するための１組の固定板部材(３)と、
該１組の固定板部材(３)を固定するためにボルト部材(２)のボルト(2a)に螺合されるナット(４)と
から構成されていることを特徴とするソーラーパネル用枠体の補助固定装置。
【請求項２】
１組の固定板部材(３)が、水下側のソーラーパネル用枠体(Ｆ)の折板屋根(Ｒ)のはぜ部(Ra)と直角な枠(Fa)を挟持する水下側挟持部(3ba)と、水上側のソーラーパネル用枠体(Ｆ)の折板屋根(Ｒ)のはぜ部(Ra)と直角な枠(Fa)を挟持する水上側挟持部(3bb)とを備えている請求項１に記載のソーラーパネル用枠体の補助固定装置。
【発明の詳細な説明】
【技術分野】
【０００１】
本発明は、折板屋根にソーラーパネルを設置する際に使用するソーラーパネル用枠体の補助固定装置に関するものである。
【背景技術】
【０００２】
近年、再生エネルギーの活用及び既存の設備の有効利用の観点から、ソーラーパネルの設置が盛んに行われている。
【０００３】
特に工場や倉庫等では、屋根の上に使用されていない広いスペースがあることから、ソーラーパネルの設置がしばしば行われている。
【０００４】
しかしながら、このような工場や倉庫等においては、金属製の折板屋根が使用されていることが多い。折板屋根は薄鋼板をＶ字、Ｕ字またはこれらに近い形に曲げた上辺、下辺、ウェブから成る断面形状なので、ソーラーパネルの設置には制約が多く、一般には、折板屋根の上辺上に固定した取付金具によってソーラーパネル用枠体を固定し、そのソーラーパネル用枠体を介してソーラーパネルが設置される（例えば，特許文献１図１，特許文献２図５参照。）。
【０００５】
このような折板屋根へのソーラーパネルの設置において問題となるのは、使用するソーラーパネル用枠体の大きさと、折板屋根のはぜ部間の長さとが合わないことがあり、結果としてソーラーパネル用枠体の折板屋根のはぜ部と平行な端部がはぜ部からはね出して、折板屋根のはぜ部とはぜ部との間に位置することがある。
【０００６】
このようなはね出し部が折板屋根上に生じると、ソーラーパネルのはね出し部と反対側の端部ははぜ部上で取付金具によって固定されるが、はぜ部間に位置するはね出し部が自由端となるために、はね出し部は撓みやすく、そのため、ソーラーパネルが強風や積雪などの影響を受けると、そのはね出し部が撓んでソーラーパネルの結晶部分が破損するなどの問題が生じるのである。
【０００７】
またこのはね出し部のはね出し長さも、常に一定の長さとは限らず、折板屋根の種類やソーラーパネルの大きさによって様々な長さとなるため、対応することがより一層困難となっているのである。
【先行技術文献】
【特許文献】
【０００８】
【特許文献１】特開２００１−９０２７４号公報
【特許文献２】特開２０１０−２４６１９号公報
【発明の概要】
【発明が解決しようとする課題】
【０００９】
本発明は前記の問題に鑑み、はね出し部のはね出し長さに拘わらず、はぜ部間に位置するはね出し部の端部を確実に挟持して、ソーラーパネルの撓みによる破損等を防止することができるソーラーパネル用枠体の補助固定装置を提供することを課題とする。
【課題を解決するための手段】
【００１０】
本発明者は前記課題を解決すべく鋭意研究の結果、方形状のソーラーパネルの周囲全体を囲うソーラーパネル用枠体を、折板屋根のはぜ部と直角な枠を折板屋根の水上側と水下側に位置させた状態で、折板屋根の各はぜ部を挟持させて固定された取付金具によって、ソーラーパネル用枠体の折板屋根のはぜ部と直角な枠を挟持させてソーラーパネルを隣接させて折板屋根に設置する際に、ソーラーパネル用枠体の折板屋根のはぜ部と平行な端部であって折板屋根のはぜ部間に位置するはね出し部を折板屋根に固定するためのソーラーパネル用枠体の補助固定装置を、
折板屋根の隣接するはぜ部をそれぞれ挟持させて固定された取付金具間にはぜ部と直角に掛け渡された状態で固定されるレール部材と、ボルトの先端を上方に向けた状態で該レール部材に摺動自在に取り付けられるボルト部材と、それぞれの中央の穴部に該ボルト部材のボルトを貫通させた状態で、側方の挟持部で該はね出し部の該ソーラーパネル用枠体の折板屋根のはぜ部と直角な枠を挟持するための１組の固定板部材と、１組の固定板部材を固定するためにボルト部材のボルトに螺合されるナットとから構成させれば、
隣接するはぜ部間にレール部材を掛け渡し、このレール部材にボルト部材を摺動自在に取り付けることによって、はね出し部の端部が位置する所までボルト部材を自由に移動させることができ、その位置で１組の固定板部材によってはね出し部の端部を挟持して、この状態で１組の固定板部材の中央の穴部に貫通させたボルト部材のボルトにナットを螺合させることによって、はね出し部の端部を簡便に固定することができることを究明して本発明を完成させたのである。
【００１１】
即ち本発明は、方形状のソーラーパネルの周囲全体を囲うソーラーパネル用枠体を、折板屋根のはぜ部と直角な枠を折板屋根の水上側と水下側に位置させた状態で、折板屋根の各はぜ部を挟持させて固定された取付金具によって、ソーラーパネル用枠体の折板屋根のはぜ部と直角な枠を挟持させてソーラーパネルを隣接させて折板屋根に設置する際に、ソーラーパネル用枠体の折板屋根のはぜ部と平行な端部であって折板屋根のはぜ部間に位置するはね出し部を折板屋根に固定するためのソーラーパネル用枠体の補助固定装置であって、
折板屋根の隣接するはぜ部をそれぞれ挟持させて固定された取付金具間にはぜ部と直角に掛け渡された状態で固定されるレール部材と、
ボルトの先端を上方に向けた状態でレール部材に摺動自在に取り付けられるボルト部材と、
それぞれの中央の穴部にボルト部材のボルトを貫通させた状態で、側方の挟持部ではね出し部のソーラーパネル用枠体の折板屋根のはぜ部と直角な枠を挟持するための１組の固定板部材と、
１組の固定板部材を固定するためにボルト部材のボルトに螺合されるナットと
から構成されていることを特徴とするソーラーパネル用枠体の補助固定装置である。
【００１２】
また、１組の固定板部材が、水下側のソーラーパネル用枠体の折板屋根のはぜ部と直角な枠を挟持する水下側挟持部と、水上側のソーラーパネル用枠体の折板屋根のはぜ部と直角な枠を挟持する水上側挟持部とを備えているように構成すれば、水下側のソーラーパネル用枠体と水上側のソーラーパネル用枠体とを同時に挟持させることができ、別々に挟持させる場合に比べて、使用する部品を大きく削減でき、また作業時間も短縮できて好ましいのである。
【発明の効果】
【００１３】
本発明に係るソーラーパネル用枠体の補助固定装置は、方形状のソーラーパネルの周囲全体を囲うソーラーパネル用枠体を、折板屋根のはぜ部と直角な枠を折板屋根の水上側と水下側に位置させた状態で、折板屋根の各はぜ部を挟持させて固定された取付金具によって、ソーラーパネル用枠体の折板屋根のはぜ部と直角な枠を挟持させてソーラーパネルを隣接させて折板屋根に設置する際に、ソーラーパネル用枠体の折板屋根のはぜ部と平行な端部であって折板屋根のはぜ部間に位置するはね出し部を折板屋根に固定するためのソーラーパネル用枠体の補助固定装置であって、
折板屋根の隣接するはぜ部をそれぞれ挟持させて固定された取付金具間にはぜ部と直角に掛け渡された状態で固定されるレール部材と、ボルトの先端を上方に向けた状態でレール部材に摺動自在に取り付けられるボルト部材と、それぞれの中央の穴部にボルト部材のボルトを貫通させた状態で、側方の挟持部ではね出し部のソーラーパネル用枠体の折板屋根のはぜ部と直角な枠を挟持するための１組の固定板部材と、１組の固定板部材を固定するためにボルト部材のボルトに螺合されるナットとから構成されているから、
隣接するはぜ部間にレール部材を掛け渡し、このレール部材にボルト部材を摺動自在に取り付けることによって、はね出し部の端部が位置する所までボルト部材を自由に移動させることができ、その位置で１組の固定板部材によってはね出し部の端部を挟持して、この状態で１組の固定板部材の中央の穴部に貫通させたボルト部材のボルトにナットを螺合させることによって、はね出し部の端部を簡便に固定することができるのである。
また、ボルト部材ははぜ部間を自由に摺動させることができるから、どのようなはね出し部のはね出し長さにも容易に対応できるのである。
【００１４】
そして、１組の固定板部材が、水下側のソーラーパネル用枠体の折板屋根のはぜ部と直角な枠を挟持する水下側挟持部と、水上側のソーラーパネル用枠体の折板屋根のはぜ部と直角な枠を挟持する水上側挟持部とを備えている態様では、水下側のソーラーパネル用枠体と水上側のソーラーパネル用枠体とを同時に挟持させることができ、別々に挟持させる場合に比べて、使用する部品を大きく削減でき、また作業時間も短縮できて好ましいのである。
【図面の簡単な説明】
【００１５】
【図１】本発明に係るソーラーパネル用枠体の補助固定装置の一実施例を折板屋根上に固定した状態を示す斜視説明図である。
【図２】図１のソーラーパネル用枠体の補助固定装置の拡大説明図である。
【図３】図１のソーラーパネル用枠体の補助固定装置の各部材を示す拡大説明図である。
【発明を実施するための形態】
【００１６】
以下、図面を用いて本発明に係るソーラーパネル用枠体の補助固定装置について詳細に説明する。
【００１７】
図面中、Ｐは方形状のソーラーパネルであり、一般的なものであれば特に限定されない。またＦはこの方形状のソーラーパネルＰの周囲全体を囲うソーラーパネル用枠体であり、ソーラーパネルＰは大きな力が加わると容易に破損する可能性があるため、補強のためにこのソーラーパネル用枠体Ｆで周囲全体を囲うと共に、ソーラーパネルＰの位置固定をする場合も、ソーラーパネルＰを直接挟持して固定すると、ソーラーパネルＰが破損する恐れがあるので、ソーラーパネル用枠体Ｆを介してソーラーパネルＰを固定するのである。
【００１８】
Ｊは折板屋根Ｒの各はぜ部Raを挟持させて固定される公知の取付金具（例えば特開２０１２−１７６２７号公報参照。）であり、この取付金具Ｊによって、ソーラーパネル用枠体Ｆの折板屋根Ｒのはぜ部Raと直角な枠Faを折板屋根Ｒの水上側と水下側に位置させた状態で、ソーラーパネル用枠体Ｆの折板屋根Ｒのはぜ部Raと直角な枠Faを挟持させてソーラーパネルＰを隣接させながら折板屋根Ｒに設置するのである。
即ち、ソーラーパネル用枠体Ｆは、はね出し部Fb以外の折板屋根Ｒのはぜ部Raと直角な枠Faが取付金具Ｊによって挟持されて固定され、はね出し部Fbの折板屋根Ｒのはぜ部Raと直角な枠Faについては、本発明に係るソーラーパネル用枠体の補助固定装置で挟持され固定されるのである。
なお、はね出し部Fbとは、ソーラーパネル用枠体Ｆの折板屋根Ｒのはぜ部Raと平行な端部であって折板屋根のはぜ部Ra，Ra間に位置する部分である。
【００１９】
１は折板屋根Ｒの隣接するはぜ部Raをそれぞれ挟持させて固定された取付金具Ｊ，Ｊ間にはぜ部Raと直角に掛け渡された状態で固定されるレール部材である。このレール部材１は、隣接するはぜ部Raの取付金具Ｊにそれぞれ固定されるものであり、例えば図２のようにレール部材１の底面の穴を取付金具Ｊのボルトに貫通させて位置決めし、更に取付金具Ｊでソーラーパネル用枠体Ｆの折板屋根Ｒのはぜ部Raと直角な枠Faを挟持させて固定する際に、同時にレール部材１も取付金具Ｊに固定されるようにすれば、効率良くレール部材１も固定することができるのである。
なおこのようなレール部材１の底面に穴を形成させる場合には、図２及び図３のように代表的なはぜ部Ra間の距離をもとに複数の穴を形成させておけば、１種類のレール部材１で様々な施工場所に対応できて好ましいのである。
【００２０】
またレール部材１には、後述するボルト部材２のボルト2aが上向きの状態で摺動自在に取り付けられるので、レール部材１の形状は、例えば図３の如く、リップ溝形鋼の開口溝の下方にボルト部材２の側部が摺動できる案内溝を設けた形状のものが利用でき、このリップ溝形鋼の開口溝を上方に向けた状態で使用すればよい。
【００２１】
２はボルト2aの先端を上方に向けた状態でレール部材１に摺動自在に取り付けられるボルト部材である。
【００２２】
３はそれぞれの中央の穴部3aにボルト部材２のボルト2aを貫通させた状態で、側方の挟持部3bではね出し部Fbのソーラーパネル用枠体Ｆの折板屋根Ｒのはぜ部Raと直角な枠Faを挟持するための１組の固定板部材である。
この１組の固定板部材３はそれぞれ完全な平板ではなく、側方ではソーラーパネル用枠体Ｆの厚さに応じて大きく開いて挟持し、中央ではボルト部材２のボルト2aに貫通させて、ボルト2aをナット４で螺合することによって固定されるので、図３の如く折板状となっていると使用し易い。
【００２３】
このような本発明に係るソーラーパネル用枠体の補助固定装置を実際に使用するには、先ず所望する発電出力等から、使用するソーラーパネルＰの種類、大きさ、枚数等を決め、折板屋根の設計図等においてソーラーパネルＰの配置位置を決めるのである。
その際、水上側から水下側に向けて複数段となるようにソーラーパネルＰを配置する場合には、図１のように、各段のソーラーパネルＰを同じように並べて配置するとよい。
【００２４】
このようにすることで、はね出し部Fbのはね出し長さを上段と下段で揃えることがきるので、はね出し部Fbのはね出し長さにばらつきがある場合に比べて作業がしやすいのである。
【００２５】
またこのようにしてソーラーパネルＰの位置を決める際に、本発明に係るソーラーパネル用枠体の補助固定装置を設置する場所も合わせて決める。
【００２６】
なお必ずしも全てのはね出し部Fbに対して、本発明に係るソーラーパネル用枠体の補助固定装置を使用する必要はなく、はね出し部Fbのはね出し長さが短く、ソーラーパネル用枠体Ｆだけで十分な剛性が得られる場合などは使用しなくてもよい。
【００２７】
従って、例えば図１のように、はね出し部Fbのはね出し長さの長い方だけを、本発明に係るソーラーパネル用枠体の補助固定装置によって固定してもよい。
【００２８】
なお図示していないが、レール部材１に２つのボルト部材２を摺動自在に取り付けて、はね出し部Fbのはね出し長さの短い方についても同時に固定してもよい。
【００２９】
このようにして、ソーラーパネルＰの配置位置や本発明に係るソーラーパネル用枠体の補助固定装置の設置位置を決めた後に、実際に施工するには、ソーラーパネルＰの配置位置に応じて、取付金具Ｊを折板屋根Ｒの各はぜ部Raを挟持させて固定していくと共に、本発明に係るソーラーパネル用枠体の補助固定装置を設置する場所では、取付金具Ｊを固定する際に合わせてレール部材１も設置していく。
【００３０】
そしてソーラーパネル用枠体Ｆの折板屋根Ｒのはぜ部Raと直角な枠Faを取付金具Ｊで順次固定していくと共に、はね出し部Fbの端部については、本発明に係るソーラーパネル用枠体の補助固定装置によって固定していけばよいのである。
【００３１】
また本発明に係るソーラーパネル用枠体の補助固定装置として、１組の固定板部材３の側方の挟持部3bが、水下側のソーラーパネル用枠体Ｆの折板屋根Ｒのはぜ部Raと直角な枠Faを挟持する水下側挟持部3baと、水上側のソーラーパネル用枠体Ｆの折板屋根Ｒのはぜ部Raと直角な枠Faを挟持する水上側挟持部3bbとを備えている態様のものを使用すれば、水下側のソーラーパネル用枠体Ｆと水上側のソーラーパネル用枠体Ｆとを同時に挟持させることができ、別々に挟持させる場合に比べて、使用する部品を大きく削減でき、また作業時間も短縮できて好ましいのである。
【００３２】
またこのような側方の挟持部3bとして水下側挟持部3baと水上側挟持部3bbとを備えている態様を使用する場合、最も水上側のソーラーパネルＰの水上側の枠Faや、最も水下側のソーラーパネルＰの水下側の枠Faを挟持する場合、上段と下段の２つのソーラーパネルＰの枠Faを同時に挟持することができない。そこでこのような場合には、ソーラーパネルＰが存在しない固定板部材３の挟持部3bにスペーサーを挟持させて使用すれば、どのはね出し部Fbも同様な力で挟持して固定することができると共に、１種類の固定板部材３だけで、全てのはね出し部Fbに対応できるから、作業がし易く効率が良いのである。
【符号の説明】
【００３３】
１  レール部材
２  ボルト部材
2a  ボルト
３  固定板部材
3a  穴部
3b  挟持部
3ba  水下側挟持部
3bb  水上側挟持部
Ｐ  ソーラーパネル
Ｆ  ソーラーパネル用枠体
Fa  枠
Fb  はね出し部
Ｒ  折板屋根
Ra  はぜ部
Ｊ  取付金具
【図１】
2014047593.tif 000003
【図２】
2014047593.tif 000004
【図３】
2014047593.tif 000005